(57)【要約】【課題】複数の領域の状態を制御する技術を提供する。【解決手段】第１機能部材１００ａから第３機能部材１００ｃは、透明状態と不透明状態とを切替可能な透明液晶である。第４機能部材１００ｄは、第１機能部材１００ａから第３機能部材１００ｃに電力を供給する。センサ５７０は、人が存在するか否かを検知する。制御部５７２は、センサ５７０の検知結果である人が存在するか否かに応じて、透明状態と不透明状態との間で第１機能部材１００ａから第３機能部材１００ｃを切りかえる。【選択図】図１１
2020067546.tif 000002
【特許請求の範囲】
【請求項１】
透明状態と不透明状態とを切替可能な透明液晶である複数の第１種機能パネルと、
前記複数の第１種機能パネルに電力を供給する第２種機能パネルと、
人が存在するか否かを検知するセンサと、
前記センサの検知結果である人が存在するか否かに応じて、透明状態と不透明状態との間で前記複数の第１種機能パネルを切りかえる制御部と、
を備える機能パネルシステム。
【請求項２】
前記制御部は、前記センサの検知結果が人の不存在を示す場合、前記複数の第１種機能パネルを透明状態に切りかえ、
前記制御部は、前記センサの検知結果が人の存在を示す場合、前記複数の第１種機能パネルを不透明状態に切りかえる、
請求項１に記載の機能パネルシステム。
【請求項３】
前記制御部は、前記センサの検知結果が人の不存在を示す場合、前記複数の第１種機能パネルを不透明状態に切りかえ、
前記制御部は、前記センサの検知結果が人の存在を示す場合、前記複数の第１種機能パネルを透明状態に切りかえる、
請求項１に記載の機能パネルシステム。
【請求項４】
前記第２種機能パネルは、太陽電池である、
請求項１から３のいずれか１項に記載の機能パネルシステム。
【請求項５】
前記複数の第１種機能パネルのそれぞれと前記第２種機能パネルは、互いに組合せ可能な形状を有し、
前記複数の第１種機能パネルのそれぞれと前記第２種機能パネルは、組み合わされた場合に互いに電気的に接続される、請求項１から４のいずれか１項に記載の機能パネルシステム。
【請求項６】
前記複数の第１種機能パネルと前記第２種機能パネルとは異なった機能を有する第３種機能パネルをさらに備え、
前記第３種機能パネルは、前記複数の第１種機能パネルのそれぞれと前記第２種機能パネルと互いに組合せ可能な形状を有し、
前記第３種機能パネルは、前記複数の第１種機能パネルのそれぞれと前記第２種機能パネルに組み合わされた場合に互いに電気的に接続される、請求項５に記載の機能パネルシステム。
【請求項７】
前記複数の第１種機能パネルのうちの１つの透明状態と不透明状態とを切りかえるための操作を受けつける操作部をさらに備え、
前記操作部において受けつけた操作をもとに、透明状態と不透明状態との間で１つの前記第１種機能パネルが切りかえられる、
請求項１から５のいずれかに記載の機能パネルシステム。
【発明の詳細な説明】
【技術分野】
【０００１】
本開示は、機能パネルに関し、特に複数の機能部材を連結した機能パネルシステムに関する。
【背景技術】
【０００２】
自動車のフロントガラスに電子カーテンを適用する場合、ガラスに取り付けられた液晶フィルムは複数の表示領域に分割され、各表示領域が、光を透過する状態にされたり、光が透過しない状態にされたりする（例えば、特許文献１参照）。
【先行技術文献】
【特許文献】
【０００３】
【特許文献１】実用新案登録第３１８８３７６号公報
【発明の概要】
【発明が解決しようとする課題】
【０００４】
電子カーテンを使用する用途によっては、一部の表示領域だけ光を透過させる状態が望まれない。例えば、人が存在するか否かに応じて、すべての表示領域が、光を透過する状態にされたり、光が透過しない状態にされたりすることが望まれる。
【０００５】
本開示はこうした状況に鑑みなされたものであり、その目的は、複数の領域の状態を制御する技術を提供することにある。
【課題を解決するための手段】
【０００６】
上記課題を解決するために、本開示のある態様の機能パネルシステムは、透明状態と不透明状態とを切替可能な透明液晶である複数の第１種機能パネルと、複数の第１種機能パネルに電力を供給する第２種機能パネルと、人が存在するか否かを検知するセンサと、センサの検知結果である人が存在するか否かに応じて、透明状態と不透明状態との間で複数の第１種機能パネルを切りかえる制御部と、を備える。
【０００７】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００８】
本開示によれば、複数の領域の状態を制御できる。
【図面の簡単な説明】
【０００９】
【図１】図１（ａ）−（ｂ）は、実施例１に係る機能壁の構造を示す図である。
【図２】図２（ａ）−（ｂ）は、図１（ａ）−（ｂ）の機能部材の構造を示す図である。
【図３】図２（ｂ）の右側支持立体を拡大した分解斜視図である。
【図４】図４（ａ）−（ｄ）は、図３の右側支持立体の各部の構造を示す図である。
【図５】図１（ａ）の機能壁の構造をさらに具体的に示す図である。
【図６】図６（ａ）−（ｃ）は、図５の機能壁の電気的な構成を示す図である。
【図７】図６（ａ）−（ｃ）の機能部材における電力線の配置を示す図である。
【図８】図６（ａ）−（ｃ）の機能部材の電気的な構成を示す図である。
【図９】図６（ａ）−（ｃ）の機能部材の別の電気的な構成を示す図である。
【図１０】実施例１に係る機能壁の構造を具体的に示す図である。
【図１１】図１０の機能壁の電気的な構成を示す図である。
【図１２】図１２（ａ）−（ｂ）は、図１０の機能壁の動作を示す図である。
【図１３】図１３（ａ）−（ｂ）は、図１０の機能壁の別の動作を示す図である。
【図１４】図１０の機能壁による切替手順を示すフローチャートである。
【図１５】実施例２に係る機能壁の構造を具体的に示す図である。
【図１６】実施例２に係る機能壁の別の構造を具体的に示す図である。
【図１７】図１６の機能壁の電気的な構成を示す図である。
【図１８】実施例３に係る機能壁における通信のための構成を示す図である。
【図１９】図１９（ａ）−（ｂ）は、実施例４に係る機能柱の構造を示す図である。
【発明を実施するための形態】
【００１０】
（実施例１）
本開示の実施例を具体的に説明する前に、本実施例の概要を説明する。実施例１は、太陽電池、蓄電池、照明装置、送風装置、スピーカのような様々な機能のうちの少なくとも１つを含む機能壁に関する。機能壁に含まれる機能には、必要に応じて選択されることが望まれる。また、機能壁における機能の一例が太陽電池である場合、機能壁における太陽電池の配置を状況に応じて変えることも望まれる。様々な機能の配置の自由度を向上させるために、本実施例に係る機能壁では、様々な機能を有した機能部材が複数連結されることによって形成される。
【００１１】
各機能部材では、高さ方向に延びる立体（以下、「支持立体」という）が左端側と右側端に２つ配置されるとともに、２つの支持立体の間に、１つ以上の機能を有するパネル（以下、「機能パネル」という）が配置される。機能パネルに備えられる機能が異なることによって、機能部材によって提供可能な機能が異なる。また、２つの支持立体のそれぞれの上側の面には凸部が配置されるとともに、２つの支持立体のそれぞれの下側の面には凹部が配置される。ここで、凸部と凹部は互いに嵌め込み可能な形状である。このような機能部材を上下方向に並べて、上側の機能部材の凹部と、下側の機能部材の凸部とを機械的に接続することによって、複数の機能部材が上下方向に連結される。上下方向に連結された複数の機能部材は、左右方向にも並べることも可能である。
【００１２】
凸部と凹部のそれぞれには電極端子が配置されており、上側の機能部材の凹部と、下側の機能部材の凸部とを機械的に接続することによって、これらに配置された電極端子が電気的に接続される。このように、各機能部材が機械的かつ電気的に接続可能であるので、様々な機能の配置の自由度が向上される。また、複数の機能部材間における電極端子が接続された場合に、各機能パネルが電気的に並列接続されるように、各機能部材における電力線が配線される。各機能パネルが電気的に並列接続されるので、各機能が独立して実行される。このように、各機能が独立して実行されるので、様々な機能の配置の自由度が向上される。
【００１３】
透明液晶である機能パネルを含む機能部材が複数組み合わされることによって、透明状態と不透明状態とが切替可能な機能壁が形成される。このような機能壁は、例えば、会議机を区切る衝立として使用される。そのため、会議机が使用されていない場合、つまり会議机の周辺に人がいない場合、機能壁は透明状態となり、会議机が使用されている場合、つまり会議机の周辺に人がいる場合、機能壁は不透明状態となることが求められる。さらに、複数の機能パネルがまとめて透明状態になったり、不透明状態になったりするように制御されることが求められる。そのため、本実施例に係る機能壁は、会議机の周辺に人が存在するか否かを検知するためのセンサを備え、センサが人の存在を検知しない場合、複数の機能パネルはまとめて透明状態にされる。一方、センサが人の存在を検知した場合、複数の機能パネルはまとめて不透明状態にされる。以下の説明において、「平行」、「垂直」は、完全な平行、垂直だけではなく、誤差の範囲で平行、垂直からずれている場合も含む。また、「略」は、おおよその範囲で同一であるという意味である。
【００１４】
以下では、機能壁の基本的な（１）構造、（２）電気的な構成を説明してから、本実施例の（３）具体的な構成を説明する。
（１）構造
図１（ａ）−（ｂ）は、機能壁１０００の構造を示す。図１（ａ）は、機能壁１０００の構造を示す斜視図であり、図１（ｂ）は、機能壁１０００の構造を示す分解斜視図である。図１（ａ）−（ｂ）に示すように、ｘ軸、ｙ軸、ｚ軸を含む直交座標系が規定される。ｘ軸、ｙ軸は、機能壁１０００の底面内において互いに直交する。ｚ軸は、ｘ軸およびｙ軸に垂直であり、機能壁１０００の高さ（垂直）方向に延びる。ｘ軸、ｙ軸、ｚ軸のそれぞれの正の方向は、図１（ａ）−（ｂ）における矢印の方向に規定され、負の方向は、矢印と逆向きの方向に規定される。また、ｚ軸の正方向側を「上側」あるいは「第１側」、ｚ軸の負方向側を「下側」あるいは「第２側」ということもある。さらに、第１機能部材１００ａから第５機能部材１００ｅを基準にして、ｘ軸の正方向側を「前側」、ｘ軸の負方向側を「後側」、ｙ軸の正方向側を「右側」、ｙ軸の負方向側を「左側」ということもある。
【００１５】
機能壁１０００は、機能部材１００と総称される第１機能部材１００ａから第１０機能部材１００ｊ、キャップ１２０、スペーサ１２２、連結キャップ１２４、連結スペーサ１２６、脚部１２８、支柱１４０を含む。また、第１機能部材１００ａは、第１左側支持立体１１０ａ、第１右側支持立体１１２ａ、第１機能パネル１１４ａを含む。第２機能部材１００ｂから第１０機能部材１００ｊも、第１機能部材１００ａと同様である。ここで、第１左側支持立体１１０ａから第１０左側支持立体１１０ｊは左側支持立体１１０と総称され、第１右側支持立体１１２ａから第１０右側支持立体１１２ｊは右側支持立体１１２と総称され、第１機能パネル１１４ａから第１０機能パネル１１４ｊは機能パネル１１４と総称される。
【００１６】
第１機能部材１００ａから第５機能部材１００ｅが上下方向に連結され、第６機能部材１００ｆから第１０機能部材１００ｊが上下方向に連結される。例えば、第２機能部材１００ｂは、上側に配置される第１機能部材１００ａと、下側に配置される第３機能部材１００ｃとに連結される。また、第１機能部材１００ａから第５機能部材１００ｅと、第６機能部材１００ｆから第１０機能部材１００ｊとは、ｘ−ｙ平面内に並べられて連結される。上下方向に連結される機能部材１００の数は「５」に限定されず、ｘ−ｙ平面内に並べられて連結される機能部材１００の数は「２」に限定されない。ここでは、第１機能部材１００ａから第５機能部材１００ｅの方向と、第６機能部材１００ｆから第１０機能部材１００ｊの方向とが異なっているが、以下では、前者の方向をもとに機能部材１００の構造を説明する。
【００１７】
各機能部材１００は同一の構造を有しており、左側に左側支持立体１１０が配置され、右側に右側支持立体１１２が配置され、左側支持立体１１０と右側支持立体１１２との間に機能パネル１１４が配置される。左側支持立体１１０と右側支持立体１１２は、上下方向に延びる円筒形状を有し、機能パネル１１４は、ｙ−ｚ平面に広がる板形状を有する。第１右側支持立体１１２ａから第５右側支持立体１１２ｅを貫通するように上下方向に延びる棒形状の支柱１４０が、ｘ−ｙ平面に広がる脚部１２８に設けられる。また、支柱１４０は、第１左側支持立体１１０ａから第５左側支持立体１１０ｅ、第６右側支持立体１１２ｆから第１０右側支持立体１１２ｊ、第６左側支持立体１１０ｆから第１０左側支持立体１１０ｊのそれぞれに対しても設けられる。
【００１８】
第１右側支持立体１１２ａから第５右側支持立体１１２ｅは、隣接した右側支持立体１１２間にスペーサ１２２を挟みながら、支柱１４０に通されることによって、上下方向に連結される。スペーサ１２２は環形状を有する。また、第１右側支持立体１１２ａの上側から突出した支柱１４０には、スペーサ１２２が配置されるとともに、スペーサ１２２の上側にキャップ１２０が配置される。キャップ１２０は、支柱１４０の上側の先端の露出を防止する。
【００１９】
第１左側支持立体１１０ａから第５左側支持立体１１０ｅは、隣接した左側支持立体１１０間に連結スペーサ１２６を挟みながら、支柱１４０に通されることによって、上下方向に連結される。連結スペーサ１２６は、２つの貫通孔がｘ−ｙ平面に並べられた８の字形状を有する。連結スペーサ１２６の一方の貫通孔には、第１左側支持立体１１０ａから第５左側支持立体１１０ｅに対する支柱１４０が通され、もう一方の貫通孔には、第６右側支持立体１１２ｆから第１０右側支持立体１１２ｊに対する支柱１４０が通される。連結スペーサ１２６における２つの貫通孔の間隔は、２つの支柱１４０の間隔に合わされるので、連結スペーサ１２６によって、左右方向に隣接した左側支持立体１１０と右側支持立体１１２との間隔が固定される。例えば、第２左側支持立体１１０ｂと第７右側支持立体１１２ｇとの間隔が固定される。また、第１左側支持立体１１０ａの上側から突出した支柱１４０と、第６右側支持立体１１２ｆの上側から突出した支柱１４０とには、連結スペーサ１２６が配置されるとともに、連結スペーサ１２６の上側に連結キャップ１２４が配置される。連結キャップ１２４は、２つの支柱１４０の上側の先端の露出を防止するとともに、第１左側支持立体１１０ａと第６右側支持立体１１２ｆとを電気的に接続する。
【００２０】
図２（ａ）−（ｂ）は、機能部材１００の構造を示す。図２（ａ）は、機能部材１００の構造を示す斜視図であり、図２（ｂ）は、機能部材１００の構造を示す分解斜視図である。機能部材１００に含まれる左側支持立体１１０、右側支持立体１１２、機能パネル１１４の配置は前述の通りである。左側支持立体１１０は、支持立体カバー１６０、支持立体ケース１６２、支持立体本体１６４を含み、右側支持立体１１２は、支持立体カバー１７０、支持立体ケース１７２、支持立体本体１７４を含み、機能パネル１１４は、機能パネル筐体１８０、機能ボード１８２、機能パネルカバー１８４を含む。
【００２１】
支持立体本体１６４は円筒形状を有しており、支持立体本体１６４の外周を前側と後側から２つの支持立体ケース１６２が挟み込む。組み合わされた支持立体ケース１６２も円筒形状を有しているが、支持立体ケース１６２の右側部分は右側に向かって突出する。支持立体ケース１６２の右側部分は、機能パネル１１４、上側支持枠１５０、下側支持枠１５２を挟み込む。支持立体カバー１６０は、支持立体ケース１６２を左側から覆う。そのため、支持立体ケース１６２は支持立体カバー１６０から露出しないが、支持立体本体１６４の上側部分が支持立体カバー１６０から露出する。支持立体カバー１７０、支持立体ケース１７２、支持立体本体１７４は、支持立体カバー１６０、支持立体ケース１６２、支持立体本体１６４と左右対称の形状を有する。
【００２２】
機能パネル筐体１８０は、正方向側に開口した箱形形状を有しており、開口した部分に機能ボード１８２が取り付けられる。機能ボード１８２は、所定の機能を有する機能部を備えるボードであり、ここでは、機能部として５つの太陽電池１９０が電気的に直列接続される。機能パネルカバー１８４は、板形形状を有し、機能ボード１８２が取り付けられた機能パネル筐体１８０の開口を塞ぐように、機能パネル筐体１８０に取り付けられる。このように機能パネル筐体１８０、機能ボード１８２、機能パネルカバー１８４が組み合わされた機能パネル１１４の上側には上側支持枠１５０が取り付けられ、機能パネル１１４の下側には下側支持枠１５２が取り付けられる。このような機能部を含む板形状の機能パネル１１４は、左側支持立体１１０および右側支持立体１１２に外付けされる。
【００２３】
図３は、右側支持立体１１２を拡大した分解斜視図である。左側支持立体１１０も同様の構造を有する。円筒形状を有する支持立体本体１７４の外周を前側と後側から挟み込んだ２つの支持立体ケース１７２における上側を向いたｘ−ｙ平面が第１面２００であり、下側を向いたｘ−ｙ平面が第２面２１０である。第１面２００から上側に突出するように、支持立体本体１７４の上側部分には凸部２０２が配置される。凸部２０２は、上側端側の第１凸部２０２ａと、第１凸部２０２ａの下側に配置される第２凸部２０２ｂとを含む。第１凸部２０２ａと第２凸部２０２ｂはいずれも円筒形状を有するが、第１凸部２０２ａにおける円筒形状の径は、第２凸部２０２ｂにおける円筒形状の径よりも小さい。
【００２４】
第１凸部２０２ａの側面には、上側第１電極端子２０４が配置され、第２凸部２０２ｂの側面には、下側第１電極端子２０６が配置される。図４（ａ）−（ｄ）は、右側支持立体１１２の各部の構造を示す。図４（ａ）は、凸部２０２のｙ−ｚ平面に沿った断面図である。第１凸部２０２ａと第２凸部２０２ｂは、第２凸部２０２ｂの上側に第１凸部２０２ａが配置されるような階段形状に形成される。第２凸部２０２ｂに配置される下側第１電極端子２０６は、図４（ｂ）のごとく、環状に形成される。また、第１凸部２０２ａに配置される上側第１電極端子２０４も下側第１電極端子２０６と同様の形状を有する。図４（ｃ）−（ｄ）は後述し、図３に戻る。
【００２５】
第２面２１０から上側に窪むように、支持立体本体１７４の下側部分には、凹部２１２が配置される。凹部２１２は、下側端側の第２凹部２１２ｂと、第２凹部２１２ｂの上側に配置される第１凹部２１２ａとを含む。第１凹部２１２ａと第２凹部２１２ｂは穴形状を有するが、第１凹部２１２ａにおける穴形状の径は、第２凹部２１２ｂにおける穴形状の径よりも小さい。ここで、凹部２１２は、凸部２０２の形状を嵌め込み可能な形状を有する。具体的には、第１凹部２１２ａは、第１凸部２０２ａの形状を嵌め込み可能な形状を有し、第２凹部２１２ｂは、第２凸部２０２ｂの形状を嵌め込み可能な形状を有する。凸部２０２が円筒形状を有し、凹部２１２が凸部２０２に合った形状を有するので、ｘ−ｙ平面に並ぶ機能部材１００の相対角度が自由に設定される。
【００２６】
第１凹部２１２ａの側面には、上側第２電極端子２１４が配置され、第２凹部２１２ｂの側面には、下側第２電極端子２１６が配置される。図４（ｃ）は、凹部２１２のｙ−ｚ平面に沿った断面図である。第１凹部２１２ａと第２凹部２１２ｂは、第１凸部２０２ａと第２凸部２０２ｂにそれぞれ合った形状を有する。第１凹部２１２ａに配置される上側第２電極端子２１４は、図４（ｄ）のごとく、バネ形状を有する。略矩形状の底板部２５０の一端側から上向きに壁板部２５２が立設され、壁板部２５２の途中には、底板部２５０が延びる方向とは逆方向に湾曲しながら突出する接点部２５４が配置される。図４（ｃ）のごとく、接点部２５４は、穴形状の凹部２１２の内部に露出するが、底板部２５０、壁板部２５２は、穴形状の凹部２１２の内部に露出しない。接点部２５４は、上側第１電極端子２０４に接触される。また、第２凹部２１２ｂに配置される下側第２電極端子２１６も上側第２電極端子２１４と同様の形状を有する。図３に戻る。
【００２７】
ここでは、上下方向の機能部材１００の連結を説明するために、右側支持立体１１２が図１の第２機能部材１００ｂにおける第２右側支持立体１１２ｂであると想定する。凸部２０２は、第１機能部材１００ａの第２面２１０に配置される凹部２１２に機械的に接続される。そのような場合、上側第１電極端子２０４および下側第１電極端子２０６は、第１機能部材１００ａの凹部２１２に配置される上側第２電極端子２１４および下側第２電極端子２１６に電気的に接続される。一方、凹部２１２が、第３機能部材１００ｃの第１面２００に配置される凸部２０２に機械的に接続される。そのような場合、上側第２電極端子２１４および下側第２電極端子２１６は、第３機能部材１００ｃの凸部２０２に配置される上側第１電極端子２０４および下側第１電極端子２０６に電気的に接続される。つまり、上下方向に隣接した機能部材１００の凸部２０２と凹部２１２とを機械的に接続すれば、上側第１電極端子２０４と上側第２電極端子２１４、下側第１電極端子２０６と下側第２電極端子２１６とが電気的に接続される。
【００２８】
支持立体本体１７４を上下方向を貫通するように、つまり右側支持立体１１２の第１面２００と第２面２１０とを貫通するように貫通孔２２０が設けられる。第１機能部材１００ａと第３機能部材１００ｃとの少なくとも１つに第２機能部材１００ｂが連結する場合、貫通孔２２０には、第１機能部材１００ａと第３機能部材１００ｃとの少なくとも１つにおける貫通孔２２０とともに、支柱１４０が通される。これは、第１右側支持立体１１２ａと第３右側支持立体１１２ｃとの少なくとも１つに第２右側支持立体１１２ｂが機械的に接続される場合に相当する。左側支持立体１１０でも、右側支持立体１１２と同様に、機械的および電気的な接続がなされる。
【００２９】
図５は、機能壁１０００の構造をさらに具体的に示す。ここでは、図１における各機能部材１００における機能が具体的に示される。一例として、第１機能部材１００ａにおける機能部は照明装置であり、第２機能部材１００ｂにおける機能部は送風装置であり、第３機能部材１００ｃにおける機能部はスピーカであり、第４機能部材１００ｄにおける機能部は蓄電池である。また、第６機能部材１００ｆから第９機能部材１００ｉ、第１１機能部材１００ｋから第１４機能部材１００ｎにおける機能部は太陽電池である。これら以外の機能部が機能部材１００に備えられてもよい。
【００３０】
（２）電気的な構成
図６（ａ）−（ｃ）は、機能壁１０００の電気的な構成を示す。図６（ａ）の機能壁１０００は、一例として、第１機能部材１００ａから第６機能部材１００ｆ、電力線５００を含む。ここで、第１機能部材１００ａにおける機能部は太陽電池であり、第２機能部材１００ｂにおける機能部は蓄電池であり、第３機能部材１００ｃにおける機能部は照明装置である。また、第４機能部材１００ｄにおける機能部はスピーカであり、第５機能部材１００ｅにおける機能部は送風装置であり、第６機能部材１００ｆにおける機能部は表示装置である。
【００３１】
各機能部材１００における電力線５００の配置を説明するために、ここでは図７を使用する。図７は、機能部材１００における電力線の配置を示す。電力線５００は、第１電力線５００ａ、第２電力線５００ｂを含む。第１電力線５００ａは、左側支持立体１１０における上側第１電極端子２０４と上側第２電極端子２１４とを接続する。また、第１電力線５００ａは、右側支持立体１１２における上側第１電極端子２０４と上側第２電極端子２１４とを接続する。左側支持立体１１０における第１電力線５００ａと、右側支持立体１１２における第１電力線５００ａは、第１電力線５１０ａによって接続される。第１電力線５１０ａは、上側支持枠１５０に配置される。
【００３２】
第２電力線５００ｂは、左側支持立体１１０における下側第１電極端子２０６と下側第２電極端子２１６とを接続する。また、第２電力線５００ｂは、右側支持立体１１２における下側第１電極端子２０６と下側第２電極端子２１６とを接続する。左側支持立体１１０における第２電力線５００ｂと、右側支持立体１１２における第２電力線５００ｂは、第２電力線５１０ｂによって接続される。第２電力線５１０ｂは、下側支持枠１５２に配置される。第１電力線５１０ａと第２電力線５１０ｂは、電力線５１０と総称される。図６（ａ）に戻る。
【００３３】
電力線５００は、各機能部材１００をバス接続する。このようなバス接続によって、各機能部材１００における機能部は電気的に配列接続される。つまり、第２機能部材１００ｂの機能部は、第１機能部材１００ａと第３機能部材１００ｃとの少なくとも１つに第２機能部材１００ｂが連結する場合、第１機能部材１００ａと第３機能部材１００ｃとの少なくとも１つの機能部と電気的に並列接続される。機能部として太陽電池を含む第１機能部材１００ａには、ダイオード５０２が含まれる。ダイオード５０２は、電力の逆流、つまり太陽電池への電力の流入を防止するために使用され、一例としてショットキー型逆流防止ダイオードである。
【００３４】
図６（ｂ）は、第１機能部材１００ａにおける太陽電池が発電する場合を示す。第１機能部材１００ａにおける機能部である太陽電池は発電し、発電された電力は、第１機能部材１００ａから出力される。第２機能部材１００ｂにおける機能部である蓄電池は、第１機能部材１００ａからの電力を充電する。また、電力は第３機能部材１００ｃから第６機能部材１００ｆに出力される。第３機能部材１００ｃから第６機能部材１００ｆにおける機能部は、供給された電力によって機能を実行する。
【００３５】
図６（ｃ）は、第１機能部材１００ａにおける太陽電池が発電しない場合を示す。第２機能部材１００ｂにおける機能部である蓄電池は放電し、放電された電力は、第３機能部材１００ｃから第６機能部材１００ｆに出力される。第３機能部材１００ｃから第６機能部材１００ｆにおける機能部は、供給された電力によって機能を実行する。一方、放電された電力は、ダイオード５０２により第１機能部材１００ａに出力されない。
【００３６】
図８は、機能部材１００の電気的な構成を示す。機能部材１００は、ダイオード５０２、第１電圧調整部５２０、充電回路部５２２、第１スイッチ５２４、第２スイッチ５２６、第２電圧調整部５２８、機能部（蓄電池）５３０、制御部５３２、通信部５３４を含む。これは、図６の第２機能部材１００ｂの構成であるといえる。
【００３７】
第１電圧調整部５２０は、入力した電力における電圧を調節する。充電回路部５２２は、第１電圧調整部５２０において電圧が調節された電力を機能部（蓄電池）５３０に充電する。第１スイッチ５２４は、機能部（蓄電池）５３０を充電させる場合に、充電回路部５２２と機能部（蓄電池）５３０との間を接続し、機能部（蓄電池）５３０を充電させない場合に、充電回路部５２２と機能部（蓄電池）５３０との間を切断する。第２スイッチ５２６は、機能部（蓄電池）５３０を放電させる場合に、機能部（蓄電池）５３０と第２電圧調整部５２８との間を接続し、機能部（蓄電池）５３０を放電させない場合に、機能部（蓄電池）５３０と第２電圧調整部５２８との間を切断する。第２電圧調整部５２８は、機能部（蓄電池）５３０から放電された電力における電圧を調節する。ダイオード５０２は、前述のごとく、第２電圧調整部５２８への電力の流入を防ぐ。このような構成により、機能部（蓄電池）５３０は、電力線５００に接続されるので、上側第１電極端子２０４、下側第１電極端子２０６、上側第２電極端子２１４、下側第２電極端子２１６に接続され、機能を実行する。
【００３８】
制御部５３２は、第１電圧調整部５２０、充電回路部５２２、第１スイッチ５２４、第２スイッチ５２６、第２電圧調整部５２８、機能部（蓄電池）５３０を制御する。例えば、充電時において、制御部５３２は、第１電圧調整部５２０、充電回路部５２２を動作させ、第１スイッチ５２４を接続し、機能部（蓄電池）５３０に充電を実行させる。制御部５３２は、第２スイッチ５２６を切断し、第２電圧調整部５２８を停止させる。放電時において、制御部５３２は、第１電圧調整部５２０、充電回路部５２２を停止させ、第１スイッチ５２４を切断する。制御部５３２は、機能部（蓄電池）５３０に放電を実行させ、第２スイッチ５２６を接続し、第２電圧調整部５２８を動作させる。
【００３９】
通信部５３４は、制御部５３２に接続され、他の機能部材１００に含まれる他の通信部５３４と通信する。通信部５３４は、通信として、例えば、ＰＬＣ（Ｐｏｗｅｒ  Ｌｉｎｅ  Ｃｏｍｍｕｎｉｃａｔｉｏｎｓ）を実行するが、無線ＬＡＮ（Ｌｏｃａｌ  Ａｒｅａ  Ｎｅｔｗｏｒｋ）、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）等の無線通信を実行してもよい。
【００４０】
図９は、機能部材１００の別の電気的な構成を示す。機能部材１００は、充電回路部５２２、第１スイッチ５２４、第２スイッチ５２６、制御部５３２、通信部５３４、電圧調整部５４０、機能部（送風装置）５４２、補助電源５４４を含む。これは、図６の第５機能部材１００ｅの構成であるといえる。
【００４１】
電圧調整部５４０は、入力した電力における電圧を調節する。充電回路部５２２は、第１電圧調整部５２０において電圧が調節された電力を補助電源５４４に充電する。第１スイッチ５２４は、補助電源５４４を充電させる場合あるいは機能部（送風装置）５４２を動作させる場合に接続され、補助電源５４４を充電させず、かつ機能部（送風装置）５４２を動作させない場合に切断される。第２スイッチ５２６は、機能部（送風装置）５４２を動作させる場合に接続され、機能部（送風装置）５４２を動作させない場合に切断される。機能部（送風装置）５４２は、図示しないファンを備え、ファンを回転することによって送風を実行する。補助電源５４４は、他の機能部材１００における機能部が動作を開始することによって、電力線５００の電圧が低下した場合に、機能部（送風装置）５４２に電力を補助的に供給する。つまり、補助電源５４４は、他の機能部材１００における機能部がオンにされる場合の突入電流対策として設けられる。補助電源５４４の容量を機能部（送風装置）５４２等の消費電力に合わせることによって、補助電源５４４は、機能部（蓄電池）５３０のメンテナンス時の一時的なバックアップ等にも使用可能である。補助電源５４４は、例えば、蓄電池、コンデンサにより構成される。このような構成により、機能部（送風装置）５４２は、電力線５００に接続されるので、上側第１電極端子２０４、下側第１電極端子２０６、上側第２電極端子２１４、下側第２電極端子２１６に接続され、機能を実行する。
【００４２】
制御部５３２は、電圧調整部５４０、充電回路部５２２、第１スイッチ５２４、第２スイッチ５２６、機能部（送風装置）５４２、補助電源５４４を制御する。例えば、充電時において、制御部５３２は、電圧調整部５４０、充電回路部５２２を動作させ、第１スイッチ５２４を接続し、補助電源５４４に充電を実行させる。機能部（送風装置）５４２の動作時において、制御部５３２は、第２スイッチ５２６を接続し、機能部（送風装置）５４２を動作させる。また、電力線５００の電圧が降下した場合に、制御部５３２は、補助電源５４４に放電を実行させ、第２スイッチ５２６を接続し、機能部（送風装置）５４２を動作させる。機能部が照明装置、スピーカ、表示装置である場合も、図９の構成を有する。
【００４３】
（３）具体的な構成
図１０は、機能壁１０００の構造を具体的に示し、図５と同様に示される。一例として、第１機能部材１００ａから第３機能部材１００ｃ、第６機能部材１００ｆから第８機能部材１００ｈ、第１１機能部材１００ｋから第１３機能部材１００ｍにおける機能部は透明液晶である。機能部が透明液晶である機能部材１００（以下、「第１種機能パネル」ということもある）では、図２（ｂ）の機能パネル筐体１８０、機能パネルカバー１８４がいずれも透明な素材で形成される。
【００４４】
第４機能部材１００ｄ、第５機能部材１００ｅ、第９機能部材１００ｉ、第１０機能部材１００ｊ、第１４機能部材１００ｎ、第１５機能部材１００ｏにおける機能部は太陽電池である。機能部が太陽電池である機能部材１００は「第２種機能パネル」といわれることもある。複数の第１種機能パネルのそれぞれと複数の第２種機能パネルのそれぞれは、図２（ａ）−（ｂ）、図３、図４（ａ）−（ｄ）のごとく、互いに組合せ可能な形状を有し、組み合わされた場合に互いに電気的に接続される。ここで、機能部材１００に含まれる第１種機能パネルの数は「９」に限定されず、第２種機能パネルの数は「６」に限定されない。
【００４５】
機能壁１０００は、管理用連結キャップ１３０と総称される第１管理用連結キャップ１３０ａ、第２管理用連結キャップ１３０ｂを含み、第１管理用連結キャップ１３０ａは第１センサ５７０ａを含み、第２管理用連結キャップ１３０ｂは第２センサ５７０ｂを含む。第１センサ５７０ａ、第２センサ５７０ｂはセンサ５７０と総称される。管理用連結キャップ１３０は、図１（ａ）−（ｂ）における連結キャップ１２４と同様の構造を有し、隣接した２つの支柱１４０の上側の先端の露出を防止するとともに、左側支持立体１１０と右側支持立体１１２とを電気的に接続する。管理用連結キャップ１３０は、センサ５７０の検知結果をもとに、第１種機能パネルの動作を制御する。
【００４６】
図１０において、第１センサ５７０ａの検知結果をもとに、第１管理用連結キャップ１３０ａは、第１機能部材１００ａから第３機能部材１００ｃの動作を制御する。また、第２センサ５７０ｂの検知結果をもとに、第２管理用連結キャップ１３０ｂは、第６機能部材１００ｆから第８機能部材１００ｈ、第１１機能部材１００ｋから第１３機能部材１００ｍの動作を制御する。ここで、第２管理用連結キャップ１３０ｂの代わりに連結キャップ１２４が備えられてもよい。その際、第１センサ５７０ａの検知結果をもとに、第１管理用連結キャップ１３０ａは、第１機能部材１００ａから第３機能部材１００ｃ、第６機能部材１００ｆから第８機能部材１００ｈ、第１１機能部材１００ｋから第１３機能部材１００ｍの動作を制御する。管理用連結キャップ１３０における処理は後述する。
【００４７】
図１１は、機能壁１０００の電気的な構成を示す。ここでは、説明を明瞭にするために、図１０に含まれる機能部材１００のうちの一部を示す。機能壁１０００は、機能部材１００と総称される第１機能部材１００ａ、第２機能部材１００ｂ、第３機能部材１００ｃ、第４機能部材１００ｄ、管理用連結キャップ１３０を含む。第１機能部材１００ａは、第１制御部５３２ａ、第１通信部５３４ａ、第１透明液晶パネル５５０ａ、第１操作部５５２ａを含む。第２機能部材１００ｂは、第２制御部５３２ｂ、第２通信部５３４ｂ、第２透明液晶パネル５５０ｂ、第２操作部５５２ｂを含む。第３機能部材１００ｃは、第３制御部５３２ｃ、第３通信部５３４ｃ、第３透明液晶パネル５５０ｃ、第３操作部５５２ｃを含む。第１制御部５３２ａ、第２制御部５３２ｂ、第３制御部５３２ｃは制御部５３２と総称され、第１通信部５３４ａ、第２通信部５３４ｂ、第３通信部５３４ｃは通信部５３４と総称される。また、第１透明液晶パネル５５０ａ、第２透明液晶パネル５５０ｂ、第３透明液晶パネル５５０ｃは透明液晶パネル５５０と総称され、第１操作部５５２ａ、第２操作部５５２ｂ、第３操作部５５２ｃは操作部５５２と総称される。
【００４８】
第４機能部材１００ｄは太陽電池パネル５６０を含む。前述のごとく、第１機能部材１００ａから第３機能部材１００ｃが第１種機能パネルに相当し、第４機能部材１００ｄが第２種機能パネルに相当する。管理用連結キャップ１３０は、センサ５７０、制御部５７２、管理用通信部５７４を含む。機能部材１００、管理用連結キャップ１３０には、図８に示されるダイオード５０２、第１電圧調整部５２０から第２電圧調整部５２８、図９に示される充電回路部５２２から第２スイッチ５２６、電圧調整部５４０、補助電源５４４が含まれてもよい。
【００４９】
第４機能部材１００ｄの太陽電池パネル５６０は、太陽電池が搭載される機能部である。太陽電池は、例えば、ペロブスカイトあるいはアモルファスで製造され、蛍光灯の光でも発電可能である。太陽電池パネル５６０は、点線で示されるように、第１機能部材１００ａから第３機能部材１００ｃ、管理用連結キャップ１３０に電力を供給する。そのため、第１機能部材１００ａから第３機能部材１００ｃ、管理用連結キャップ１３０は、第４機能部材１００ｄから供給される電力により動作する。
【００５０】
第１機能部材１００ａの第１透明液晶パネル５５０ａは、透明液晶が搭載される機能部である。透明液晶は、通常の液晶パネルからバックライトユニットを取り外し、液晶パネルの偏光フィルムを特殊フィルムに変更した液晶モニタである。透明液晶は、透明状態と不透明状態とを切替可能であり、透明状態の場合に、液晶の表示部の裏側を透けて見せる。例えば、第１透明液晶パネル５５０ａは、第１制御部５３２ａから印加される電圧がしきい値よりも低い場合に不透明状態になり、第１制御部５３２ａから印加される電圧がしきい値以上である場合に透明状態になる。一方、第１透明液晶パネル５５０ａは、第１制御部５３２ａから印加される電圧がしきい値よりも低い場合に透明状態になり、第１制御部５３２ａから印加される電圧がしきい値以上である場合に不透明状態になってもよい。
【００５１】
第１制御部５３２ａは、第１透明液晶パネル５５０ａを不透明状態にするために、しきい値よりも低い電圧を第１透明液晶パネル５５０ａに印加する。一方、第１制御部５３２ａは、第１透明液晶パネル５５０ａを透明状態にするために、しきい値以上の電圧を第１透明液晶パネル５５０ａに印加する。ここで、第１制御部５３２ａは、第１通信部５３４ａと第１操作部５５２ａに接続されており、第１通信部５３４ａあるいは第１操作部５５２ａから受けつけた信号をもとに、第１透明液晶パネル５５０ａに印加すべき電圧を調節する。第１制御部５３２ａにおける電圧の調節については後述する。第１通信部５３４ａは、Ｂｌｕｅｔｏｏｔｈ（登録商標）等の無線通信を実行し、管理用連結キャップ１３０からの信号を受信する。第１通信部５３４ａは信号を第１制御部５３２ａに出力する。第１操作部５５２ａの説明は後述する。第２機能部材１００ｂ、第３機能部材１００ｃは、第１機能部材１００ａと同様に構成される。
【００５２】
管理用連結キャップ１３０のセンサ５７０は、人感センサであり、人が存在するか否かを検知する。センサ５７０による検知は定期的になされる。センサ５７０には公知の技術が使用されればよいが、センサ５７０の検知範囲は、例えば、会議机（図示しない）の周辺を含む。センサ５７０は、人が存在する否かに関する検知結果を制御部５７２に出力する。
【００５３】
制御部５７２は、検知結果をセンサ５７０から受けつける。制御部５７２は、検知結果が人の不存在を示す場合、複数の第１種機能パネルをまとめて透明状態に切りかえることを決定する。一方、制御部５７２は、検知結果が人の存在を示す場合、複数の第１種機能パネルをまとめて不透明状態に切りかえることを決定する。つまり、制御部５７２は、検知結果である人が存在するか否かに応じて、透明状態と不透明状態との間で複数の第１種機能パネルをまとめて切りかえる。ここで、「まとめて切りかえること」には、同時に切りかえること、つまり一斉に切りかえることが含まれるとともに、順次切りかえることも含まれる。また、同時には誤差の範囲のずれが含まれてもよい。制御部５７２は、決定した状態が含まれた信号（以下、「指示信号」という）を管理用通信部５７４に出力する。指示信号では、不透明状態への切替あるいは透明状態への切替が示される。管理用通信部５７４は、各通信部５３４と同様に、Ｂｌｕｅｔｏｏｔｈ（登録商標）等の無線通信を実行し、複数の第１種機能パネルに指示信号を送信する。
【００５４】
複数の第１種機能パネル、例えば第１機能部材１００ａから第３機能部材１００ｃのそれぞれの通信部５３４は指示信号を管理用連結キャップ１３０から受信する。通信部５３４は指示信号を制御部５３２に出力する。制御部５３２は、指示信号を通信部５３４から受けつける。制御部５３２は、指示信号において透明状態への切替が示されている場合、しきい値以上の電圧を透明液晶パネル５５０に印加する。一方、制御部５３２は、指示信号において不透明状態への切替が示されている場合、しきい値よりも低い電圧を透明液晶パネル５５０に印加する。特に、同時の切替がなされる場合、制御部５３２は指示信号を受けつけると直ちに処理を実行する。順次の切替がなされる場合、制御部５３２は指示信号を受けつけるとランダムな時間だけ待機してから処理を実行する。ランダムな時間だけ待機するためには公知の技術が使用されればよいので、ここでは説明を省略する。複数の第１種機能パネルにおける切替が第１種機能パネル毎に順次なされることによって、透明液晶パネル５５０を起動する際の過渡現象の発生の集中が回避される。その結果、第２種機能パネルへの負担が軽減される。
【００５５】
図１２（ａ）−（ｂ）は、機能壁１０００の動作を示す。図１２（ａ）は、人が存在しない場合を示す。機能壁１０００における第１機能部材１００ａから第３機能部材１００ｃ、第６機能部材１００ｆから第８機能部材１００ｈが第１種機能パネルを示し、機能壁１０００における第４機能部材１００ｄ、第５機能部材１００ｅ、第９機能部材１００ｉ、第１０機能部材１００ｊが第２種機能パネルを示す。機能壁１０００の奥側には、会議机７００、椅子７１０が配置されている。そのため、管理用連結キャップ１３０のセンサ５７０（図示せず）の検知範囲は、奥側を向く。人が存在しない場合、第１機能部材１００ａから第３機能部材１００ｃ、第６機能部材１００ｆから第８機能部材１００ｈは、いずれも透明状態にされる。そのため、機能壁１０００を介して、会議机７００、椅子７１０を見ることができる。
【００５６】
図１２（ｂ）は、人が存在する場合を示す。人が存在する場合、第１機能部材１００ａから第３機能部材１００ｃ、第６機能部材１００ｆから第８機能部材１００ｈは、いずれも不透明状態にされる。そのため、機能壁１０００を介して、会議机７００、椅子７１０の方を見ることができない。図１１に戻る。
【００５７】
第２機能部材１００ｂには、第２操作部５５２ｂが備えられる。第２操作部５５２ｂは、第２透明液晶パネル５５０ｂだけの透明状態と不透明状態とを切りかえるための操作を受けつける。図１３（ａ）−（ｂ）は、機能壁１０００の別の動作を示す。図１３（ａ）は、図１２（ａ）−（ｂ）における第２機能部材１００ｂの構造を示す拡大図である。第２操作部５５２ｂは、タッチパネルとして第２透明液晶パネル５５０ｂに重ねられるように配置される。第２操作部５５２ｂは、指によるジェスチャーを操作として受けつける。例えば、第２操作部５５２ｂは、２つの指の間隔を広げるジェスチャーを、不透明状態を透明状態に切りかえるための操作（以下、「第１操作」という）として受けつける。また、第２操作部５５２ｂは、２つの指の間隔を狭めるジェスチャーを、透明状態を不透明状態に切りかえるための操作（以下、「第２操作」という）として受けつける。第２操作部５５２ｂはタッチパネルではなく、撮像装置であってもよい。図１３（ｂ）は後述し、図１１に戻る。第２操作部５５２ｂは、受けつけた第１操作あるいは第２操作が示された操作信号を第２制御部５３２ｂに出力する。
【００５８】
第２制御部５３２ｂは、操作信号を通信部５３４から受けつける。第２制御部５３２ｂは、操作信号において第１操作が示されている場合、しきい値以上の電圧を透明液晶パネル５５０に印加する。一方、制御部５３２は、操作信号において第２操作が示されている場合、しきい値よりも低い電圧を透明液晶パネル５５０に印加する。図１３（ｂ）は、第２機能部材１００ｂに対して第１操作がなされた場合を示す。図示のごとく、第１機能部材１００ａ、第３機能部材１００ｃ、第６機能部材１００ｆから第８機能部材１００ｈは不透明状態にされ、第２機能部材１００ｂが透明状態にされる。図１１に戻る。
【００５９】
第１機能部材１００ａ、第３機能部材１００ｃ、第６機能部材１００ｆから第８機能部材１００ｈにおける操作部５５２、制御部５３２、透明液晶パネル５５０も、第２機能部材１００ｂと同様である。つまり、操作部５５２は、複数の第１種機能パネルのうちの１つの透明状態と不透明状態とを切りかえるための操作を受けつけ、制御部５３２は、操作部５５２において受けつけた操作をもとに、透明状態と不透明状態との間で１つの第１種機能パネルを切りかえる。
【００６０】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００６１】
以上の構成による機能壁１０００の動作を説明する。図１４は、機能壁１０００による切替手順を示すフローチャートである。センサ５７０が人の存在を検知した場合（Ｓ１０のＹ）、制御部５７２は、複数の第１種機能パネルをまとめて不透明状態に切りかえる（Ｓ１２）。操作部５５２が操作を受けつけた場合（Ｓ１４のＹ）、１つの第１種機能パネルが透明状態に切りかえられる（Ｓ１６）。操作部５５２が操作を受けつけない場合（Ｓ１４のＮ）、ステップ１６はスキップされる。センサ５７０が人の存在を検知しない場合（Ｓ１０のＮ）、制御部５７２は、複数の第１種機能パネルをまとめて透明状態に切りかえる（Ｓ１８）。操作部５５２が操作を受けつけた場合（Ｓ２０のＹ）、１つの第１種機能パネルが不透明状態に切りかえられる（Ｓ２２）。操作部５５２が操作を受けつけない場合（Ｓ２０のＮ）、ステップ２２はスキップされる。
【００６２】
本実施例によれば、人が存在するか否かに応じて、透明状態と不透明状態との間で複数の第１種機能パネルを切りかえるので、複数の領域の状態を制御できる。また、検知結果が人の不存在を示す場合、複数の第１種機能パネルをまとめて透明状態に切りかえ、検知結果が人の存在を示す場合、複数の第１種機能パネルをまとめて不透明状態に切りかえるので、複数の領域をまとめて制御できる。また、第２種機能パネルは、太陽電池であるので、機能壁１０００内で電源を確保できる。また、操作部５５２において受けつけた操作をもとに、透明状態と不透明状態との間で１つの第１種機能パネルが切りかえられるので、第１種機能パネルを個別に切りかえることができる。
【００６３】
凸部２０２が、上側の機能部材１００の凹部２１２に機械的に接続される場合、上側第１電極端子２０４あるいは下側第１電極端子２０６が、上側の機能部材１００の上側第２電極端子２１４あるいは下側第２電極端子２１６に電気的に接続されるので、様々な機能の配置の自由度を向上できる。また、凹部２１２が、下側の機能部材１００の凸部２０２に機械的に接続される場合、上側第２電極端子２１４あるいは下側第２電極端子２１６は、下側の機能部材１００の上側第１電極端子２０４あるいは下側第１電極端子２０６に電気的に接続されるので、様々な機能の配置の自由度を向上できる。また、機能部は、太陽電池、蓄電池、照明装置、送風装置、スピーカ、表示装置のうちの少なくとも１つを含むので、様々な機能を提供できる。
【００６４】
また、機能部は、立体に外付けされるので、立体に対して機能部のサイズを大きくできる。また、立体に対して機能部のサイズが大きくなるので、機能部の構成の自由度を向上できる。また、機能部は、板形状を有するので、壁の部材として使用できる。また、凸部２０２は円筒形状を有し、凹部２１２は穴形状を有するので、回転させることができる。また、上側第１電極端子２０４あるいは下側第１電極端子２０６は、円筒形状の凸部２０２の側面に環状に配置され、上側第２電極端子２１４あるいは下側第２電極端子２１６は、穴形状の凹部２１２の側面に配置されるとともに、バネ形状を有するので、電気的な接続を容易にできる。また、貫通孔２２０に支柱が通されるので、構造の安定を向上できる。
【００６５】
また、上側の機能部材１００と下側の機能部材１００との少なくとも１つに本機能部材１００が連結する場合、複数の機能部が電気的に並列接続されるので、様々な機能の配置の自由度を向上できる。また、補助電源５４４は、機能部に電力を供給可能であるので、他の機能部材１００における機能部がオンにされる場合の突入電流が発生しても、機能部を安定的に動作させることができる。また、補助電源５４４の容量を機能部の消費電力に合わせることによって、機能部（蓄電池）５３０のメンテナンス時の一時的なバックアップ等にも補助電源５４４を使用できる。これにより、機能部（蓄電池）５３０のメンテナンス時にも各機能部を使用できる。
【００６６】
本開示の一態様の概要は、次の通りである。本開示のある態様の機能壁１０００は、透明状態と不透明状態とを切替可能な透明液晶である複数の第１種機能パネルと、複数の第１種機能パネルに電力を供給する第２種機能パネルと、人が存在するか否かを検知するセンサ５７０と、センサ５７０の検知結果である人が存在するか否かに応じて、透明状態と不透明状態との間で複数の第１種機能パネルを切りかえる制御部５７２と、を備える。
【００６７】
制御部５７２は、センサ５７０の検知結果が人の不存在を示す場合、複数の第１種機能パネルを透明状態に切りかえ、制御部５７２は、センサ５７０の検知結果が人の存在を示す場合、複数の第１種機能パネルを不透明状態に切りかえる。
【００６８】
第２種機能パネルは、太陽電池である。
【００６９】
複数の第１種機能パネルのそれぞれと第２種機能パネルは、互いに組合せ可能な形状を有してもよい。複数の第１種機能パネルのそれぞれと第２種機能パネルは、組み合わされた場合に互いに電気的に接続される。
【００７０】
複数の第１種機能パネルのうちの１つの透明状態と不透明状態とを切りかえるための操作を受けつける操作部５５２をさらに備えてもよい。操作部５５２において受けつけた操作をもとに、透明状態と不透明状態との間で１つの第１種機能パネルが切りかえられる。
【００７１】
（実施例２）
次に、実施例２を説明する。実施例２は、実施例１と同様に機能壁１０００に関する。実施例２に係る機能壁１０００は、電子ペーパである機能部を有する機能部材１００を含む。以下では、実施例１との差異を中心に説明する。
【００７２】
図１５は、機能壁１０００の構造を具体的に示す。これは図１０と同様に示される。一例として、第１６機能部材１００ｐ、第１７機能部材１００ｑにおける機能部は、電子ペーパのような表示装置である。電子ペーパあるいは表示装置には公知の技術が使用される。機能部が表示装置である機能部材１００（以下、「第３種機能パネル」ということもある）は、機能壁１０００にネットワークを介して接続されたサーバ（図示せず）から画像、文字等（以下、「画像」と総称する）を受信し、画像を表示する。第４機能部材１００ｄ、第５機能部材１００ｅ、第９機能部材１００ｉ、第１０機能部材１００ｊにおける機能部は太陽電池である。第２種機能パネルは、第３種機能パネルに電力を供給する。第２種機能パネルおよび第３機能パネルの組合せおよび電気的接続は、第１種機能パネルおよび第２機能パネルの組合せおよび電気的接続と同様であるので、ここでは説明を省略する。機能部材１００に含まれる第３種機能パネルの数は「２」に限定されず、第２種機能パネルの数は「４」に限定されない。
【００７３】
図１６は、機能壁１０００の別の構造を具体的に示す。ここでは、図１５の構造に、第１２機能部材１００ｌから第１５機能部材１００ｏ、管理用連結キャップ１３０が追加される。第１２機能部材１００ｌ、第１３機能部材１００ｍにおける機能部は透明液晶であり、第１４機能部材１００ｎ、第１５機能部材１００ｏにおける機能部は太陽電池である。つまり、図１６は、図１５と実施例１とを組み合わせた構造を示す。このような第３種機能パネルは、複数の第１種機能パネルと第２種機能パネルとは異なった機能を有する。また、第３種機能パネルは、複数の第１種機能パネルのそれぞれと第２種機能パネルと互いに組合せ可能な形状を有するとともに、複数の第１種機能パネルのそれぞれと第２種機能パネルに組み合わされた場合に互いに電気的に接続される。
【００７４】
図１７は、機能壁１０００の電気的な構成を示す。ここでは、説明を明瞭にするために、図１６に含まれる機能部材１００のうちの一部を示す。機能壁１０００は、機能部材１００と総称される第４機能部材１００ｄ、第１２機能部材１００ｌ、第１３機能部材１００ｍ、第１６機能部材１００ｐ、管理用連結キャップ１３０、サーバ６００を含む。第４機能部材１００ｄは、図１１の第４機能部材１００ｄと同一の構成であり、第１２機能部材１００ｌ、第１３機能部材１００ｍは図１１の第１機能部材１００ａと同一の構成であるので、ここは説明を省略する。第１６機能部材１００ｐは、電子ペーパパネル５８０、第１６制御部５３２ｐ、第１６通信部５３４ｐを含む。
【００７５】
サーバ６００は、第３種機能パネルに表示すべき画像を外部から受けつけ、画像が含まれた信号を第１６機能部材１００ｐに送信する。画像の外部からの受付には公知の技術が使用されればよいので、ここでは説明を省略する。また、サーバ６００から送信される信号には、信号の宛先となる機能部材１００のアドレスが含まれる。
【００７６】
第１６機能部材１００ｐは、第４機能部材１００ｄから供給された電力により動作する。第１６通信部５３４ｐは、ネットワークを介してサーバ６００からの信号を受信する。第１６通信部５３４ｐは、信号から画像を抽出し、画像を第１６制御部５３２ｐに出力する。第１６制御部５３２ｐは、第１６通信部５３４ｐからの画像を受けつける。第１６制御部５３２ｐは、受けつけた画像を表示するように電子ペーパパネル５８０を制御する。電子ペーパパネル５８０は、電子ペーパが搭載される機能部である。電子ペーパには公知の技術が使用されればよいが、電子ペーパの代わりに液晶ディスプレイ等の表示装置であってもよい。電子ペーパパネル５８０は、第１６制御部５３２ｐの指示にしたがって画像を表示する。
【００７７】
本実施例によれば、複数の第１種機能パネルと第２種機能パネルとは異なった機能を有する第３種機能パネルをさらに備えられるので、機能壁１０００の構成の自由度を向上できる。
【００７８】
本開示の一態様の概要は、次の通りである。複数の第１種機能パネルと第２種機能パネルとは異なった機能を有する第３種機能パネルをさらに備えてもよい。第３種機能パネルは、複数の第１種機能パネルのそれぞれと第２種機能パネルと互いに組合せ可能な形状を有してもよい。第３種機能パネルは、複数の第１種機能パネルのそれぞれと第２種機能パネルに組み合わされた場合に互いに電気的に接続される。
【００７９】
（実施例３）
次に、実施例２を説明する。実施例３は、これまでと同様に機能壁１０００に関する。実施例３に係る機能壁１０００は、様々な機能の機能部を有する機能部材１００を含む。以下では、これまでとの差異を中心に説明する。
【００８０】
図１８は、機能壁１０００における通信のための構成を示す。第１機能部材１００ａから第６機能部材１００ｆは、任意の機能の機能部を有する。第１機能部材１００ａは第１通信部５３４ａを含み、第２機能部材１００ｂは第２通信部５３４ｂを含み、第３機能部材１００ｃは第３通信部５３４ｃを含む。また、第４機能部材１００ｄは第４通信部５３４ｄを含み、第５機能部材１００ｅは第５通信部５３４ｅを含み、第６機能部材１００ｆは第６通信部５３４ｆを含む。第２機能部材１００ｂにおける機能部が蓄電池である場合、第２通信部５３４ｂは親機に設定される。一方、第１機能部材１００ａ、第３機能部材１００ｃから第６機能部材１００ｆにおける機能部が蓄電池以外である場合、第１通信部５３４ａ、第３通信部５３４ｃから第６通信部５３４ｆは子機に設定される。
【００８１】
子機に設定された通信部５３４は、機能部に関する情報が含まれた信号を第２通信部５３４ｂに送信する。機能部に関する情報は、例えば、機能部の状態が示された情報である。第２通信部５３４ｂは、子機に設定された通信部５３４からの信号を受信すると、当該信号をサーバ６００に送信する。また、第２通信部５３４ｂは、第２機能部材１００ｂの機能部に関する情報が含まれた信号をサーバ６００に送信する。通信部５３４間の通信に使用される通信方式と、第２通信部５３４ｂとサーバ６００との通信に使用される通信方式は異なっていてもよい。第２通信部５３４ｂとサーバ６００との通信には、例えば、有線通信あるいは無線通信が使用可能であり、無線通信には、第４世代携帯電話通信方式、第５世代携帯電話通信方式、特定小電力無線局等が使用可能である。
【００８２】
サーバ６００は、各機能部材１００の機能部を制御するための処理を実行する。サーバ６００は、各機能部材１００の機能部に関する情報と、宛先となる通信部５３４の情報とが含まれた信号を第２通信部５３４ｂに送信する。各機能部材１００の機能部に関する情報は、例えば、各機能部材１００の機能部を制御するための処理の結果である。第２通信部５３４ｂは、信号を受信すると、宛先となる通信部５３４の情報を確認する。宛先が第２通信部５３４ｂでない場合、第２通信部５３４ｂは、宛先となる通信部５３４に信号を送信する。宛先が第２通信部５３４ｂである場合、第２通信部５３４ｂは、第２機能部材１００ｂの制御部５３２に、各機能部材１００の機能部に関する情報を出力する。つまり、親機に設定された通信部５３４を介して、子機に設定された通信部５３４とサーバ６００とが通信を実行する。
【００８３】
以下では、様々なアプリケーションを提供するための各機能部材１００の機能部を説明する。これまで説明した機能部材１００に加えて、あるいはこれまで説明した機能部材１００の代わりに、下記のような機能部材１００が使用されてもよい。
（Ａ）各種情報提供
このアプリケーションでは、ユーザにとって役立つ情報が提供される。この場合、情報を受けつけるためのキーボード、タッチパネルが含まれる機能部を有する機能部材１００、情報を出力するための画面、スピーカ、照明、プリンタが含まれる機能部を有する機能部材１００が使用される。また、翻訳機能が含まれる機能部を有する機能部材１００が使用されてもよい。情報を受けつけた機能部材１００はサーバ６００に情報を送信し、サーバ６００は、インターネットにアクセスしながら、受信した情報をもとに処理を実行する。また、サーバ６００は、情報を出力するための機能部材１００に情報を送信し、当該機能部材１００は、受信した情報を出力する。
【００８４】
このような処理によって、個人、場所、季節、時間帯、天候、服装等に合わせた情報が機能部材１００から提供される。機能壁１０００がバス停留所に配置される場合、時刻表、料金表、次のバスの位置、到着までの時間、目的地までの所要時間、渋滞情報、事故情報、観光地案内が提供される。また、ホテル情報、タクシー会社情報、お得情報（クーポン）、お土産情報(購入、発送可）、ＡＥＤ所在情報、伝言サービス、宣伝が提供されてもよい。天気予報が提供されてもよい。災害時に避難場所への誘導、災害情報、安否情報、伝言等が出力されてもよい。
【００８５】
（Ｂ）情報端末環境
このアプリケーションでは、インターネット接続された情報端末の環境が提供される。この場合も、情報を受けつけるためのキーボード、タッチパネルが含まれる機能部を有する機能部材１００、情報を出力するための画面、スピーカ、照明、プリンタが含まれる機能部を有する機能部材１００が使用される。ＰＣと同様の機能の機能部を有する機能部材１００であってもよい。機能部材１００はインターネットに接続される。その結果、メールの確認、情報検索が可能になる。
【００８６】
（Ｃ）各種充電
このアプリケーションでは、端末装置への充電が可能な環境が提供される。この場合、充電機能の機能部を有する機能部材１００が使用される。これにより、スマートフォン、携帯電話、デジタルカメラ、録画装置、ゲーム機、ＰＣ等の充電が機能壁１０００においてなされる。
【００８７】
（Ｄ）映像
このアプリケーションでは、映像、音楽が提供される。この場合、情報を受けつけるためのキーボード、タッチパネルが含まれる機能部を有する機能部材１００、映像、音楽を出力するための画面、スピーカが含まれる機能部を有する機能部材１００が使用される。ここで、機能部材１００は、映像、音楽をサーバ６００から受信する。例えば、個人向けには、その人の嗜好、場所、季節、時間帯、天候、服装等に合わせた映像、音楽が出力される。また、機能壁１０００の付近に居る人々向けには、場所、季節、時間帯、天候、服装等に合う映像、音楽が出力される。
【００８８】
（Ｅ）エンターテインメント（エキサイティング）
このアプリケーションでは、ゲームが提供される。この場合、操作を受けつけるためのレバー、ボタン、タッチパネルが含まれる機能部を有する機能部材１００、画面、音楽を出力するための画面、スピーカが含まれる機能部を有する機能部材１００が使用される。ここで、ゲームの処理はサーバ６００において実行される。
【００８９】
（Ｆ）撮像
このアプリケーションでは、記念写真のような写真撮影、映像の撮像が提供される。この場合、撮像装置が含まれる機能部を有する機能部材１００、画像を出力するための画面が含まれる機能部を有する機能部材１００が使用される。これにより、観光地の記念写真、背景を活かした自撮り写真撮影が可能になる。写真は、ネットワークを介してユーザのスマートフォン等に送信されればよい。
【００９０】
（Ｇ）温度制御
このアプリケーションでは、冷風あるいは温風の出力が提供される。この場合、ファン、ミスト発生装置、赤外線ヒータが含まれる機能部を有する機能部材１００が使用される。その際、機能部材１００の制御はサーバ６００によってなされる。例えば、真夏には冷風やミストシャワーが出力される。また、気温の低下、空質の悪化に対して、ミスト、赤外線ヒータが自動的に作動されてもよい。
【００９１】
（Ｈ）空気清浄
このアプリケーションでは、空気の清浄化が提供される。この場合、空質測定装置、空気清浄機、送風機が含まれる機能部を有する機能部材１００が使用される。その際、機能部材１００の制御はサーバ６００によってなされる。例えば、周辺の空質（花粉、ＰＭ２．５を含む）を計測し、問題があれば空気清浄化がなされる。また、花粉を送風で吹き飛ばしてもよい。
【００９２】
（Ｉ）消毒
このアプリケーションでは、消毒環境が提供される。この場合、消毒液ディスペンサが含まれる機能部を有する機能部材１００が使用される。例えば、手の消毒、消毒液、ミストが出力される。
（Ｊ）治安維持
このアプリケーションでは、治安の保全、指名手配犯人あるいは盗難車の確認と通報が提供される。この場合、顔認識装置、車両認識装置、犯罪発見装置、通報装置が含まれる機能部を有する機能部材１００が使用される。その際、機能部材１００の制御はサーバ６００によってなされる。例えば、指名手配者の発見、通報がなされたり、犯罪の確認、通報がなされたり、犯罪の発見、記録がなされたり、手配車両の発見、通報がなされたりする。
【００９３】
（Ｋ）救急車の手配
このアプリケーションでは、病人を派遣した場合に、救急車を手配することが提供される。この場合、非接触体温計、脈拍測定装置、通報装置が含まれる機能部を有する機能部材１００が使用される。非接触体温計、脈拍測定装置での測定結果が病人であることを示す場合、救急車を手配するための連絡が出力される。
【００９４】
本実施例によれば、通信部５３４が、機能部に関する情報を送受信するので、各機能部の状態を外部から把握できる。また、通信部５３４が、機能部に関する情報を送受信するので、各機能部を外部から制御できる。また、機能部が蓄電池である場合、親機としての処理を実行するので、親機の動作を安定させることができる。また、様々な機能に対応した機能部を有する機能部材１００を使用することによって、様々なアプリケーションを提供できる。
【００９５】
（実施例４）
次に、実施例４を説明する。これまでの実施例は、機能壁１０００に関するが、実施例４は、機能柱に関する。つまり、実施例４は、これまでの実施例と比較して構造が異なる。以下では、これまでの実施例との差異を中心に説明する。
【００９６】
図１９（ａ）−（ｂ）は、機能柱１１００の構造を示す。図１９（ａ）は、機能柱１１００の構造を示す斜視図であり、図１９（ｂ）は、機能柱１１００の構造を示す分解斜視図である。機能柱１１００は、機能部材１００と総称される第１機能部材１００ａ、第２機能部材１００ｂ、第３機能部材１００ｃ、第４機能部材１００ｄ、脚部１２８、支柱１４０を含む。また、機能部材１００は、凸部２０２、凹部２１２、貫通孔２２０を含む。
【００９７】
図示のごとく、実施例２における機能部材１００は柱形状を有する。柱形状を有する機能部材１００の機械的な構造、電気的な構成は、これまでの実施例における左側支持立体１１０あるいは右側支持立体１１２内に機能パネル１１４、特に機能ボード１８２における機能部を格納した場合に相当する。そのため、機能部材１００における電力線の配置は、図７における左側支持立体１１０あるいは右側支持立体１１２の第１電力線５００ａおよび第２電力線５００ｂが含まれるだけである。例えば、第１機能部材１００ａにおける機能部は鍵であり、第２機能部材１００ｂにおける機能部は撮像装置であり、第３機能部材１００ｃにおける機能部は照明装置であり、第４機能部材１００ｄにおける機能部は太陽電池と蓄電池である。これ以外の機械的な構造、電気的な構成はこれまでの実施例と同様であるので、ここでは説明を省略する。
【００９８】
本実施例によれば、機能部は立体内に格納されるので、機能部材１００を小型化できる。また、立体は柱形状を有するので、柱の部材として使用できる。
【００９９】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【０１００】
実施例１における各機能部材１００は、同一の形状を有する。しかしながらこれに限らず例えば、各機能部材１００は、異なった形状であってもよい。その際、上下方向の機能部材１００を連結できるように、機能部材１００の左右方向の構造が共通化され、機能部材１００の上下方向の構造が異なっていればよい。本変形例によれば、構造の自由度を向上できる。
【０１０１】
実施例１における制御部５７２は、検知結果が人の不存在を示す場合、複数の第１種機能パネルをまとめて透明状態に切りかえることを決定し、検知結果が人の存在を示す場合、複数の第１種機能パネルをまとめて不透明状態に切りかえることを決定する。しかしながらこれに限らず例えば、検知結果と制御内容との関係が逆であってもよい。つまり、制御部５７２は、検知結果が人の不存在を示す場合、複数の第１種機能パネルをまとめて不透明状態に切りかえることを決定し、検知結果が人の存在を示す場合、複数の第１種機能パネルをまとめて透明状態に切りかえることを決定してもよい。本変形例によれば、構成の自由度を向上できる。
【０１０２】
実施例１から３における機能部材１００では、左側支持立体１１０、右側支持立体１１２、機能パネル１１４とが組み合わされる。しかしながらこれに限らず例えば、機能部材１００は一体的な構造を有していてもよい。本変形例によれば、構造の自由度を向上できる。
【０１０３】
実施例１から４において、支柱１４０が使用される。しかしながらこれに限らず例えば、支柱１４０がなくてもよい。本変形例によれば、構造を簡易化できる。
【０１０４】
実施例１から４において、図１（ａ）の第１機能部材１００ａから第５機能部材１００ｅ、図１９（ａ）の第１機能部材１００ａから第４機能部材１００ｄは上下方向に連結される。しかしながらこれに限らず例えば、図１（ａ）の第１機能部材１００ａから第５機能部材１００ｅ、図１９（ａ）の第１機能部材１００ａから第４機能部材１００ｄは左右方向に並べられて連結されてもよい。この場合、左側あるいは右側の一方が「第１側」に相当し、他方が「第２側」に相当する。本変形例によれば、構造の自由度を向上できる。
【０１０５】
実施例１から４の任意の組合せも有効である。本変形例によれば、実施例１から４の任意の組合せによる効果を得ることができる。
【符号の説明】
【０１０６】
１００  機能部材、  １１０  左側支持立体、  １１２  右側支持立体、  １１４  機能パネル、  １２０  キャップ、  １２２  スペーサ、  １２４  連結キャップ、  １２６  連結スペーサ、  １２８  脚部、  １３０  管理用連結キャップ、  １４０  支柱、  １５０  上側支持枠、  １５２  下側支持枠、  １６０  支持立体カバー、  １６２  支持立体ケース、  １６４  支持立体本体、  １７０  支持立体カバー、  １７２  支持立体ケース、  １７４  支持立体本体、  １８０  機能パネル筐体、  １８２  機能ボード、  １８４  機能パネルカバー、  １９０  太陽電池、  ２００  第１面、  ２０２  凸部、  ２０４  上側第１電極端子、  ２０６  下側第１電極端子、  ２１０  第２面、  ２１２  凹部、  ２１４  上側第２電極端子、  ２１６  下側第２電極端子、  ２２０  貫通孔、  ２３０  凸部上段、  ２３２  凸部下段、  ２４０  凹部上段、  ２４２  凹部下段、  ２５０  底板部、  ２５２  壁板部、  ２５４  接点部、  ５００  電力線、  ５０２  ダイオード、  ５１０  電力線、  ５２０  第１電圧調整部、  ５２２  充電回路部、  ５２４  第１スイッチ、  ５２６  第２スイッチ、  ５２８  第２電圧調整部、  ５３０  機能部（蓄電池）、  ５３２  制御部、  ５３４  通信部、  ５４０  電圧調整部、  ５４２  機能部（送風装置）、  ５４４  補助電源、  ５５０  透明液晶パネル、  ５５２  操作部、  ５６０  太陽電池パネル、  ５７０  センサ、  ５７２  制御部、  ５７４  管理用通信部、  １０００  機能壁。
【図１】
2020067546.tif 000003
【図２】
2020067546.tif 000004
【図３】
2020067546.tif 000005
【図４】
2020067546.tif 000006
【図５】
2020067546.tif 000007
【図６】
2020067546.tif 000008
【図７】
2020067546.tif 000009
【図８】
2020067546.tif 000010
【図９】
2020067546.tif 000011
【図１０】
2020067546.tif 000012
【図１１】
2020067546.tif 000013
【図１２】
2020067546.tif 000014
【図１３】
2020067546.tif 000015
【図１４】
2020067546.tif 000016
【図１５】
2020067546.tif 000017
【図１６】
2020067546.tif 000018
【図１７】
2020067546.tif 000019
【図１８】
2020067546.tif 000020
【図１９】
2020067546.tif 000021